(57)【要約】【課題】ボタン電話装置の電源を予め決められたスケジュールに基づいて自動的にシャットダウンして省電力化するボタン電話装置のシャットダウン方法およびシステムを提供する。【解決手段】ボタン電話装置（ＰＢＸ）１０のＰＢＸ制御部１２は、ＰＢＸ電源コントロール部１２１、時計部１２２、タイマ部１２３、専用（特定）電話機制御部１２４、演算部１２５および情報記憶部１２６を備えている。操作者は、専用電話機２０の表示部（ＬＣＤ）２１に表示されるシャットダウンメニューに基づいて所定のキー２２を押下することにより、ボタン電話装置１０の自動的シャットダウンを可能にする。【選択図】図１
2006211293.tif 000002
【特許請求の範囲】
【請求項１】
内線インタフェース部を介して特定電話機が接続されるボタン電話装置の電源を所望時にシャットダウンするボタン電話装置のシャットダウン方法において、
前記特定電話機の表示部にシャットダウンメニューを表示し、該表示に基づいて操作者が前記特定電話機のキーを操作してシャットダウン内容を決定し、該決定されたシャットダウン内容に基づいて前記ボタン電話装置の電源を自動的にシャットダウンすることを特徴とするボタン電話装置のシャットダウン方法。
【請求項２】
前記シャットダウン内容を、前記シャットダウンの実行前に前記表示部に表示して操作者が確認可能にすることを特徴とする請求項１に記載のボタン電話装置のシャットダウン方法。
【請求項３】
前記シャットダウンは、タイマ又は日付時刻設定によるシャットダウンスケジュールにより選択的に設定可能であることを特徴とする請求項１又は２に記載のボタン電話装置のシャットダウン方法。
【請求項４】
前記シャットダウンスケジュールは、１回毎、週毎又は月毎に選択して設定可能であることを特徴とする請求項３に記載のボタン電話装置のシャットダウン方法。
【請求項５】
前記シャットダウンを設定する特定電話機は、予め識別番号等により指定可能であることを特徴とする請求項１、２、３又は４に記載のボタン電話装置のシャットダウン方法。
【請求項６】
ボタン電話装置（ＰＢＸ）および該ボタン電話装置の内線インタフェース部を介して接続された特定電話機を備えるボタン電話装置のシャットダウンシステムにおいて、
前記ボタン電話装置は、ＰＢＸ制御部および前記ボタン電話装置の各部へ動作電源を供給する電源部を備え、前記特定電話機から前記内線インタフェース部を介して前記ＰＢＸ制御部へ送信されるシャットダウン情報に基づき前記電源をシャットダウンすることを特徴とするボタン電話装置のシャットダウンシステム。
【請求項７】
前記ＰＢＸ制御部は、前記電源を制御する電源コントロール部、時間を管理する時計部、経過時間を管理するタイマ部、前記シャットダウンを制御する特定電話機を識別する特定電話機制御部、各種演算を行う演算部および各種情報を記憶保持する情報記憶部を備えることを特徴とする請求項６に記載のボタン電話装置のシャットダウンシステム。
【発明の詳細な説明】
【技術分野】
【０００１】
本発明はボタン電話装置（ＰＢＸ）に関し、特にボタン電話装置の電源を遮断するシャットダウン方法およびシステムに関する。
【背景技術】
【０００２】
ボタン電話装置は、家庭やオフィス等で広く使用される固定電話機である。テンキーを含む複数のボタン又はキーを備え、ユーザがこれらのボタンを押下することにより、それぞれのキーに割り当てられたパルス信号が電話回線を介して送出され、相手電話機への接続要求等を行う。テンキー以外に複数のキーを備え、ダイヤル式電話機では不可能な切符の予約、スケジュール管理およびその他の機能を有する。
【０００３】
ボタン電話機に関する従来技術は、いくつかの技術文献に開示されている。例えば、ボタン電話機の使用者のスケジュールをボタン電話主装置へ送信記憶して、外部からの呼（着信）があった際に、不在の被呼者に対して迅速に対応するボタン電話装置が開示されている（例えば、特許文献１参照。）。
【０００４】
【特許文献１】実開平５−２１５５０号公報（第１頁、第１図）
【発明の開示】
【発明が解決しようとする課題】
【０００５】
ボタン電話装置、特にオフィス等で使用されるボタン電話装置は、オフィスの営業時間外や休日にはシャットダウン、即ち電源を遮断して省電力化を図るのが好ましい。従来のボタン電話装置では、使用者が手動により電源スイッチ（ボタン）を操作してシャットダウンしているが、斯かる操作は不便であると共に使用者がシャットダウン操作を忘れる場合もあり得るので、利便性に欠けるという課題があった。
【０００６】
本発明は、従来技術の上述した課題に鑑みなされたものであり、斯かる課題を克服又は軽減可能にするボタン電話装置のシャットダウン方法およびシステムに関する。
【課題を解決するための手段】
【０００７】
前述の課題を解決するため、本発明によるボタン電話装置のシャットダウン方法およびシステムは、次のような特徴的な構成を採用している。
【０００８】
（１）内線インタフェース部を介して特定電話機が接続されるボタン電話装置の電源を所望時にシャットダウンするボタン電話装置のシャットダウン方法において、
前記特定電話機の表示部にシャットダウンメニューを表示し、該表示に基づいて操作者が前記特定電話機のキーを操作してシャットダウン内容を決定し、該決定されたシャットダウン内容に基づいて前記ボタン電話装置の電源を自動的にシャットダウンするボタン電話装置のシャットダウン方法。
（２）前記シャットダウン内容を、前記シャットダウンの実行前に前記表示部に表示して操作者が確認可能にする上記（１）のボタン電話装置のシャットダウン方法。
（３）前記シャットダウンは、タイマ又は日付時刻設定によるシャットダウンスケジュールにより選択的に設定可能である上記（１）又は（２）のボタン電話装置のシャットダウン方法。
（４）前記シャットダウンスケジュールは、１回毎、週毎又は月毎に選択して設定可能である上記（３）のボタン電話装置のシャットダウン方法。
（５）前記シャットダウンを設定する特定電話機は、予め識別番号等により指定可能である上記（１）、（２）、（３）又は（４）のボタン電話装置のシャットダウン方法。
（６）ボタン電話装置（ＰＢＸ）および該ボタン電話装置の内線インタフェース部を介して接続された特定電話機を備えるボタン電話装置のシャットダウンシステムにおいて、
前記ボタン電話装置は、ＰＢＸ制御部および前記ボタン電話装置の各部へ動作電源を供給する電源部を備え、前記特定電話機から前記内線インタフェース部を介して前記ＰＢＸ制御部へ送信されるシャットダウン情報に基づき前記電源をシャットダウンするボタン電話装置のシャットダウンシステム。
（７）前記ＰＢＸ制御部は、前記電源を制御する電源コントロール部、時間を管理する時計部、経過時間を管理するタイマ部、前記シャットダウンを制御する特定電話機を識別する特定電話機制御部、各種演算を行う演算部および各種情報を記憶保持する情報記憶部を備える上記（６）のボタン電話装置のシャットダウンシステム。
【発明の効果】
【０００９】
本発明のボタン電話装置のシャットダウン方法およびシステムによると、次の如き実用上の顕著な効果が得られる。即ち、予め選択された特定電話機によりボタン電話装置をタイマ又は予め決められたシャットダウンスケジュールに基づいてシャットダウンすることが可能であるので、従来の不便が解消されると共に確実にシャットダウンが可能である。また、シャットダウンは、特定電話機のＬＣＤ等の表示部に表示されるシャットダウンメニューに基づいて、操作者が簡単に選択設定可能である。また、シャットダウンスケジュールは、１回毎のみならず、週毎又は月毎に設定可能であるので、容易且つ迅速な操作が可能である。
【実施例】
【００１０】
以下、本発明によるボタン電話装置のシャットダウン方法およびシステムの好適実施例の構成および動作を、添付図面を参照して詳細に説明する。
【００１１】
図１は、本発明によるボタン電話装置のシャットダウンシステムの好適実施例の構成を示す機能ブロック図である。このボタン電話装置のシャットダウンシステムは、ＰＢＸ（ボタン電話装置又は主装置）１０および内線である複数の専用（特定）電話機（ＫＴ）２０ａ〜２０ｎ（以下、専用電話機を総称するときは、参照符合２０を使用する）により構成されている。
【００１２】
ボタン電話装置（ＰＢＸ）１０は、内線Ｉ／Ｆ（インタフェース）１１、ＰＢＸ制御部１２およびボタン電話装置１０の各部の電子回路に動作電源を供給する電源（ＰＯＷ）部１３を含んでいる。更に、ＰＢＸ制御部１２は、電源部１３を制御する電源コントロール部１２１、時間を管理する時計部１２２、経過又は持続時間を管理するタイマ部１２３、シャットダウン操作する専用電話機を特定する専用電話機制御部１２４、各種演算処理を行う演算部１２５および入力又は送信される各種情報（データ）を記憶保持する情報記憶部１２６を有する。また、電源部１３は、スイッチ１３２を含む電源制御部１３１を有する。専用電話機２０は、表示部（以下、ＬＣＤ（液晶表示装置）という）２１、複数のキー２２および送受話器２３を有する。
【００１３】
次に、図１に示す本発明によるボタン電話装置の動作、特にシャットダウン動作を簡単に説明する。先ず、専用電話機ＫＴ２０が備えるＬＣＤ２１にシャットダウンメニューを表示させる。そして、操作者は、このＬＣＤ２１の表示を見ながら操作を行う。操作を行った結果の情報は、ＰＢＸ制御部１２へ送られ、そこで処理される。この処理結果は、電源（ＰＯＷ）制御部１３１に送られ、電源制御部１３１のスイッチ制御部１３２によりシャットダウンを行う。
【００１４】
ここで、ＬＣＤ２１に表示されたメニューの操作は、主に専用電話機２０のボタン２２で行う。ＬＣＤ２１の表示画面に収まらない場合には、必要に応じてＬＣＤ２１の横に設けられた（図示せず）上下のスクロールボタンにより操作する。詳細は、図３に示すＬＣＤ表示例を参照して後述する。
【００１５】
タイマや日付時刻設定によるシャットダウン機能を使用する際には、ＰＢＸ制御部１２の時計部１２２、タイマ部１２３および演算部１２５で処理し、この処理結果の情報を電源制御部１３へ送る。先ず、タイマによるシャットダウン方法について説明する。タイマによるシャットダウンは、専用電話機２０からキー２２を操作してタイマ時間を入力する。そして、入力したデータおよび時計部１２２のデータを演算部１２５で比較し、タイマ部１２３へ情報を登録し、カウントダウンを行う。指定時間が経過したら、電源コントロール部１２１へシャットダウン命令を出して、ボタン電話装置１０のシャットダウンを行う。
【００１６】
次に、日付時刻設定によるシャットダウン方法について説明する。専用電話機２０で設定したスケジュールデータを情報記憶部１２６に記憶する。そして、演算部１２５で時計部１２２と情報記憶部１２６のスケジュールデータを比較する。これらの値が一致したら、電源コントロール部１２１へシャットダウン命令を出し、ボタン電話装置１０のシャットダウンを行う。また、セキュリティを考慮して、ＰＢＸ制御部１２に専用電話機制御部１２４を搭載する。これにより、専用電話機２０毎にシャットダウンを行うか否かが設定できる。先ず、ボタン電話装置１０に接続されている専用電話機２０に重複しないＩＤ（識別情報）を割り付ける。これは、ボタン電話装置１０の初期立ち上げおよび専用電話機２０の接続後に割り付けを行う。
【００１７】
次に、シャットダウン操作を行える専用電話機２０を設定する。設定された専用電話機２０のＩＤ情報を情報記憶部１２６へ登録する。この情報により、専用電話機２０毎にシャットダウン操作が行えるか否かの判断を行う。専用電話機２０からシャットダウンメニューを開くとき、専用電話制御部１２４が情報記憶部１２６に登録された専用電話機２０のＩＤ情報を読み込む。シャットダウン操作可能な専用電話機２０のＩＤであれば、引き続きシャットダウンの操作を実行させる。設定されていない専用電話機ＩＤからの操作があった場合には、『この電話機からは設定出来ません』とＬＣＤ２１に表示し、操作を終了する。
【００１８】
次に、図２のフローチャートを参照して、図１に示すボタン電話装置のシャットダウン装置の動作を詳細に説明する。先ず、専用電話機（ＫＴ）２０のＬＣＤ２１にシャットダウンメニューを開く（ステップＡ１）。そして、操作者にシャットダウンを行うか否かを選択させる（ステップＡ２）。シャットダウンを行わない場合（ステップＡ２：ＮＯ）には、動作を終了する（ステップＡ８）。一方、シャットダウンを行なう場合（ステップＡ２：ＹＥＳ）には、上述したタイマ又は日付時刻設定を行うか否か選択させる（ステップＡ３）。設定する場合（ステップＡ３：ＹＥＳ）には、使用者は、専用電話機２０からキー２２を押下してタイマ又は日付時刻を入力する（ステップＡ４）。これらの情報を入力した後又はタイマ又は日付時刻設定しない場合（ステップＡ３：ＮＯ）には、入力した又は既に設定済みの内容をＬＣＤ２１に表示する（ステップＡ５）。
【００１９】
次に、設定したデータを実行してよいか否か、操作者の意向を確認する（ステップＡ６）。実行してよい場合（ステップＡ６：ＹＥＳ）には、専用電話機２０からＰＢＸ制御部１２へ設定データを送信し（ステップＡ７）、処理を終了する（ステップＡ８）。他方、設定データを実行しない場合（ステップＡ６：ＮＯ）には、上述したステップＡ１へ戻る。
【００２０】
次に、図３を参照して、シャットダウンメニューによる専用電話機２０のＬＣＤ２１の表示例を示す。先ず、『シャットダウンを行いますか？』のメッセージが表示される（ステップＢ１）。操作者は、専用電話機２０のキー２２により、シャットダウンを行う場合には「１」を、行わない（又はシャットダウン動作をキャンセルする）場合には「０」を入力する。ステップＢ１において「０」を入力するとシャットダウンは行わないが、「１」を入力してシャットダウンを行う場合には、『時刻設定しますか？』がＬＣＤ２１に表示される。時刻設定する場合には「１」を入力し、キャンセルする場合には「０」を入力し、今すぐシャットダウンする場合には「３」を入力する。
【００２１】
ステップＢ２のＬＣＤ表示時に「３」を入力して操作者が今すぐシャットダウンを選択すると、ＬＣＤ２１に『実行してもよろしいですか？』が表示される（ステップＢ３）。実行する場合には「１」を、キャンセルの場合には「０」を、内容確認の場合には「３」を入力する。他方、ステップＢ２のＬＣＤ表示時に「１」を選択して時刻設定を選択すると、『設定種類を選択してください。』のメッセージがＬＣＤ２１に表示される（ステップＢ４）。
【００２２】
ステップＢ４において、タイマの選択には「１」、キャンセルには「０」、スケジュールには「３」を入力する。「０」を入力すると、処理は終了し、「３」を入力すると、図４を参照して後述するスケジュールが行われる。一方、「１」を入力してタイマを選択すると、『何分後に実行しますか？数字で入力してください。』のメッセージがＬＣＤ２１に表示される。そこで、操作者は、専用電話機２０のキー２２を押下して希望する数字を入力してタイマを設定する。この入力した時間、その他の設定内容は、ＬＣＤ２１に表示されるので、操作者は、自分が入力したタイマ設定時間を確認可能である（ステップＢ６）。
【００２３】
次に、図４を参照して、上述したスケジュールの方法について説明する。先ず、専用電話機２０のＬＣＤ２１には、『次から種類を選択してください。』として選択肢が表示される（ステップＣ１）。例えば、１回のみは「１」、毎週は「２」、毎月は「３」、キャンセルは「０」を入力する。
【００２４】
上述したステップＣ１のＬＣＤ表示の選択肢から「１」を選択すると、『日付を数字入力してください。』のメッセージがＬＣＤ２１に表示される。そこで、操作者は、適当なキー２２を押下することにより、年月日を選択・入力することが可能である。即ち、このモードにより、操作者は、希望する年月日毎にボタン電話装置１０のシャットダウンする日を設定する。これらの年月日は、例えばカレンダーの祝祭日および会社等の創立記念日、夏期休暇日等の特定の日である。
【００２５】
また、「２」を選択すると、ボタン電話装置１０をシャットダウンしたい特定の曜日が選択可能である。ここで、例えば、日曜日は「１」、月曜日は「２」、火曜日は「３」、水曜日は「４」、木曜日は「５」、金曜日は「６」および土曜日は「７」である。これにより、ボタン電話装置１０をシャットダウンする曜日が、例えば毎週土曜日と日曜日の週末、又は毎週水曜日と木曜日の如く決まっている場合には、上述した１回毎の入力よりも迅速にスケジュールの入力が可能である。一方、「３」を選択すると、例えば毎月１５日にシャットダウンしたい場合には、このモードを選択するとスケジュールを簡単に行うことが可能である。
【００２６】
最後に、『時間を入力して下さい。』のメッセージが表示される（ステップＣ５）。これにより、操作者は、選択された日の１日中（即ち、２４時間）又は特定の時間帯（例えば、１７：００から２４：００）を選択することが可能である。
【００２７】
尚、シャットダウン後は、ボタン電話装置１０に停電電話機や留守番機能を追加することにより、外部からの着信を音声メッセージで応答可能、停電電話機で臨時発信および着信可能とどのような状況でも柔軟に対応できるシステムとすることが可能である。また、ボタン電話装置１０のスケジューリング機能を利用して、電源投入する機能を搭載することにより、予め決められた時間に自動的にボタン電話装置１０の電源を投入することも可能となる。その結果、操作者の手間暇を省け、円滑な業務が行えるシステムが実現可能である。
【００２８】
以上、本発明の好適実施例の構成および動作を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２９】
【図１】本発明によるボタン電話装置のシャットダウンシステムの好適実施例の構成を示す機能ブロック図である。
【図２】図１に示すボタン電話装置のシャットダウンシステムの全体動作を説明するフローチャートである。
【図３】図１に示すボタン電話装置のシャットダウンシステムのシャットダウン時の専用電話機のＬＣＤ表示例である。
【図４】図１に示すボタン電話装置のシャットダウンシステムのスケジュール設定時の専用電話機のＬＣＤ表示例である。
【符号の説明】
【００３０】
１０        ボタン電話装置（ＰＢＸ）
１１        内線インタフェース（Ｉ／Ｆ）部
１２        ＰＢＸ制御部
１３        電源（ＰＯＷ）部
２０        専用電話機
２１        表示部（ＬＣＤ）
２２        キー
１２１      電源コントロール部
１２２      時計部
１２３      タイマ部
１２４      専用電話機制御部
１２５      演算部
１２６      情報記憶部
１３１      電源制御部
１３２      スイッチ制御部
【図１】
2006211293.tif 000003
【図２】
2006211293.tif 000004
【図３】
2006211293.tif 000005
【図４】
2006211293.tif 000006